(57)【特許請求の範囲】
【請求項１】
撮影システム（１０２）に可搬型検出器（３０４）をホットスワップする方法において、
前記撮影システム（１０２）への前記可搬型検出器（３０４）の取り付けを検出するステップであって、前記可搬型検出器（３０４）が一意の名前によって操作可能に識別されるステップと、
前記可搬型検出器（３０４）が一意の名前によって操作可能に識別された後に、前記撮影システム（１０２）が、識別された新しい可搬型検出器（３０４）にＭＡＣアドレスを付与するステップと、
前記撮影システム（１０２）及び前記可搬型検出器（３０４）のための特定のキャリブレーションデータを、それぞれが複数の撮影システムの１つ及び複数の可搬型検出器の１つとに対応づけられた複数のキャリブレーションデータの中から、前記撮影システム（１０２）が選択するステップと、
前記可搬型検出器（３０４）と、前記選択されたキャリブレーションデータとを前記撮影システム（１０２）が用いるステップとを含む方法。
【請求項２】
前記撮影システム（１０２）及び前記可搬型検出器（３０４）のためのキャリブレーションデータを選択するステップが、
前記可搬型検出器（３０４）内に記録されている少なくとも１つのキャリブレーションデータを読み取るステップと、
前記可搬型検出器（３０４）内に記録されている前記一意の名前と前記キャリブレーションデータとを読み取るステップと、
前記撮影システム（１０２）に記録されている前記可搬型検出器（３０４）に対する前記キャリブレーションデータを検索するステップとの内の１つをさらに含む請求項１記載の方法。
【請求項３】
前記可搬型検出器（３０４）が、
Ｘ線、超音波、または患者モニタデバイスをさらに含み、
前記一意の名前が、前記可搬型検出器（３０４）に付加された識別マーカ、前記可搬型検出器（３０４）のＰＲＯＭ（６０２）またはＲＯＭ中に埋め込まれた識別子、あるいは媒体アクセス制御アドレスである請求項１または２に記載の方法。
【請求項４】
前記可搬型検出器（３０４）を前記撮影システム（１０２）に取り付けるステップが、さらに、
前記撮影システム（１０２）内に前記可搬型検出器（３０４）を格納するステップと、
前記可搬型検出器（３０４）を前記撮影システム（１０２）に電気的に結合するステップとの内の１つからなる請求項１乃至３のいずれかに記載の方法。
【請求項５】
プロセッサ（３１２）と、
前記プロセッサ（３１２）に連結されている記憶装置（６０４）と、
一意の名前によって識別される可搬型検出器の撮影システム（１０２）への取り付けを検出し、
前記撮影システム（１０２）及び前記可搬型検出器のための撮影システム（１０２）の特定のキャリブレーションデータを、それぞれが複数の撮影システム（１０２）の１つ及び複数の可搬型検出器の１つとに対応づけられた複数のキャリブレーションデータの中から、選択し、
前記可搬型検出器と前記選択されたキャリブレーションデータとを撮影システム（１０２）が用いるための、前記プロセッサ（３１２）上で動作するソフトウェア手段（６０６）とを含み、
前記可搬型検出器が一意の名前によって操作可能に識別された後に、前記撮影システム（１０２）が、識別された新しい可搬型検出器（３０４）にＭＡＣアドレスを付与する、
撮影システム。
【請求項６】
前記撮影システム（１０２）及び前記可搬型検出器（３０４）のためのキャリブレーションデータを選択することが、
前記可搬型検出器（３０４）内に記憶されているキャリブレーションデータを読み取ることと、
前記可搬型検出器（３０４）内に記録されている前記一意の名前と前記キャリブレーションデータとを読み取ることと、
前記撮影システム（１０２）に記録されている前記可搬型検出器（３０４）に対する前記キャリブレーションデータを検索することとの内の１つをさらに含む請求項５記載のシステム。
【請求項７】
前記可搬型検出器（３０４）が、
Ｘ線、超音波、または患者モニタデバイスをさらに含む請求項５記載のシステム。
【請求項８】
前記キャリブレーションデータが、撮影システム（１０２）に依存するキャリブレーションデータと、撮影システム（１０２）に独立なキャリブレーションデータとを含む請求項７記載のシステム。
【請求項９】
前記可搬型検出器と前記撮影システムとの通信チャネルを初期化するために前記可搬型検出器と前記撮影システムとの間の情報交換のための通信デバイス（２０８、２１０）をさらに含む請求項８記載のシステム。
【発明の詳細な説明】
【技術分野】
【０００１】
本発明は、一般に診断用の撮影に関し、さらに具体的には撮影システムへの可搬型検出器の統合に関する。
【背景技術】
【０００２】
Ｘ線撮影は、臨床診断のために患者の画像を取り込んだり、荷物、梱包および他の小荷物などの密封された容器の内容物を検査したりするための非侵襲的手法である。これらの画像を取り込むために、Ｘ線源がＸ線のファンビームで走査被検体を照射する。次いで、Ｘ線は走査被検体を通過するに間に、減弱する。減弱の程度は、被検体の内部組成の変化のために走査被検体にわたって変化する。減弱したエネルギはＸ線検出器に入射し、Ｘ線検出器は減弱したエネルギを画像再構成に利用可能な形態に変換するように設計されている。制御システムが、Ｘ線検出器に蓄積されている電荷を読み出して、対応する画像を生成する。従来のスクリーンフィルム式検出器では、画像をフィルムに現像して、バックライトを用いて表示する。
【０００３】
フラットパネルデジタルＸ線検出器が、画像再構成用データを取得するのにますます使用されるようになっている。フラットパネル検出器は、一般に、シンチレータを有するものとして構成されており、このシンチレータは、Ｘ線を感光層によって検出できる可視光に変換するのに使用される。感光層は、個々に検出された光に比例する電荷をそれぞれ蓄積する感光素子または検出器素子のアレイを含んでいる。一般に、各検出器素子は、感光領域と、電荷の蓄積および出力を制御する電子回路から成る領域とを有する。感光領域は、通常、光導電体で構成され、可視光に露光されると電子が光導電体において放出される。この露光の間に、電荷が各検出器素子に収集され、電子回路領域に配置されているキャパシタに蓄積される。露光の後、各検出器素子の電荷は、論理制御式電子回路を用いて読み出す。
【０００４】
最適の画像画質を維持するために、デジタルＸ線検出器と撮影システム（ホストの）を頻繁に較正することが促される。しかし、検出器の前の「当該ビーム中に」何もない時にＸ線を発生するため、これは、利用者に介入を要求する。キャリブレーションの間は、システムは使用に供することはできず、Ｘ線システムの生産性を損なうことになる。複数の撮影システムと共に使用されることがあるデジタルＸ線検出器にとって、キャリブレーションはさらにいっそう複雑になる。さらに複雑さに加えて、デジタル検出器は、ワイヤレスで、電池によるサポートを要求される可能性が高い。
【０００５】
通常の据付の検出器の世界では、システム（ＲＡＤ／ＲＦまたは可搬型）はただ１つの検出器または１組の検出器に対して較正されている。それぞれの検出器も１つのシステムだけを念頭において較正されている。これが１対１配置である。
【発明の開示】
【発明が解決しようとする課題】
【０００６】
しかしワイヤレスまたは取り外せる検出器を備える場合、システムは主として、検出器を取り付けるために、電源を組合せてＥｔｈｅｒｎｅｔ（商標）／ワイヤレスまたはＥｔｈｅｒｎｅｔ（商標）など共通のインターフェースをサポートし、その関係は１対複数になっている。つまり、検出器は、その検出器が交信可能である任意のシステムで使用できる。システムのワークフローや設計が、現行の据付の検出器システム（１対１）と類似である場合、他のシステムに対して較正されている検出器をオペレータが使おうと試みることができ、画像の画質においても、そのオペレータに対するワークフローの低減においても後退になってしまう。さらに、ワイヤレス検出器を用いる複数の移動型システムを使用する場合には、ワークフローにおいて同様の削減が可能であることも留意されたい。ワークフローの中で、大分後になってやっと失敗がわかり、失敗はシステムに対して適切な検出器を見つけて、使用するまでに、運用に重大な遅れがあることに原因がある。
【課題を解決するための手段】
【０００７】
上で説明した理由および下で説明される他の理由によって、本明細書を読み進め、理解すると、当技術分野では、任意の検出器に対しキャリブレーション情報を入手可能にする撮影システムを提供する必要性があることが当業者には明らかになる。ワイヤレスまたは取り外せる検出器の撮影システムへの統合を改善する必要性もある。
【０００８】
前述した欠点、不都合および問題に本明細書では取り組み、これらは以下の明細書を読み進め、研究することによって理解される。
【０００９】
一態様では、一意の名前を有する可搬型検出器が、撮影システムによって検出される。次いで、撮影システムは検出されている可搬型検出器に対するキャリブレーションデータを選択する。選択されたキャリブレーションデータを可搬型検出器中または撮影システム中に記憶できる。キャリブレーションデータを、撮影システムに依存するものと撮影システムに独立なものの２つに体系化する撮影システムは、撮影システムの動作中に可搬型検出器および付随のキャリブレーションデータを統合する。
【００１０】
他の態様では、可搬型検出器の一意の名前は、キャリブレーション時点で可搬型検出器に付加されたマーカ、または可搬型検出器のファームウェア内のシリアル番号などの識別子、またはネットワーク適用により可搬型検出器に指定された媒体アクセス制御アドレスである。
【００１１】
さらに別の態様では、システムは、プロセッサと、プロセッサに連結されている記憶装置と、可搬型検出器をキャリブレーションデータと共に撮影システムに統合するためのソフトウェア手段とを含む。
【００１２】
さらに別の態様では、コンピュータでアクセス可能な媒体が、撮影システムに可搬型検出器を統合するための実施可能なインストラクションを有し、プロセッサに指令することによって撮影システムへの可搬型検出器のアタッチメントを検出し、可搬型検出器と交信し、この可搬型検出器のためのキャリブレーションデータを、通信に基づき選択する。
【００１３】
異なる範囲のシステム、クライアント、サーバ、方法、およびコンピュータで読取り可能な媒体が説明される。本概要において説明した態様および利点に加え、さらなる態様および利点が、図面を参照し、以下の詳細な説明を読むことによって明らかになる。
【発明を実施するための最良の形態】
【００１４】
以下の詳細な説明では、本明細書の一部を成し、実施することができる特定の実施形態を例として示す添付の図面を参照する。これらの実施形態は、十分詳細に説明されており当業者が本発明を実施することを可能にし、また、他の実施形態を利用することができ、本実施形態の範囲を逸脱することなく論理的、機械的、および電気的変更を加えることができることを理解されたい。したがって以下の詳細な説明は、限定的な意味に捉えるべきでない。
【００１５】
図１は、移動型医療用デジタルＸ線撮影システム１０２においてデジタル画像を取り込むためのシステムの概観と、ネットワーク環境におけるデジタル画像の処理とを提供する概略図である。システム１００は、当技術分野における撮影システムに対する必要性に答えるものであって、任意の検出器用のキャリブレーション情報を入手できる。
【００１６】
システム１００は、図１に示した移動型デジタルＸ線撮影システムなどの、移動型デジタル撮影システム１０２を含む。移動型デジタル撮影システム１０２は、図１に示したＥｔｈｅｒｎｅｔ（商標）準拠のネットワークなどのネットワーク１０４に操作可能に接続されている。実施形態によって、このネットワークは、医療用撮影ネットワークとしての機能に特に適合しているネットワークである。
【００１７】
システム１００は、表示システム１０８を有する画像処理システム１０６も含む。
【００１８】
Ｘ線システムは、可搬型デジタル検出器を保持するような機構を有することが好ましく、この可搬型デジタル検出器は、オペレータ、利用者、またはＸ線技術者が必要とする程である。この機構は、ＩＴインターフェース装置を介して供給および／または情報センターとしての働きもできる。ＩＴインターフェース装置は、移動型デジタルＸ線撮影システム１０２から記録された画像データを効率的に伝送するためのリンクポイントである。ＩＴインターフェースは、ワイヤレスリンク、電気的リンク、または光電リンクでよい。
【００１９】
移動型撮影システム１０２は、デジタル画像を取り込んだ後、このデジタル画像は通信経路１１０に沿って任意にネットワーク１０４に送信できる。ネットワーク１０４上のサーバ１１２は、デジタル画像を受け取り、通信経路１１０に沿ってこのデジタル画像を、表示装置１０８を有する画像処理装置１０６などの画像処理装置に送信し、リアルタイムでデジタル画像を表示して、制御室にいる熟練したオペレータによって、すぐにレビューできるようにする。
【００２０】
移動型デジタル撮影システム１０２とネットワークの間の連結１１４は、多くの手段の１つで達成できる。例えば、ワイヤレス接続が移動型デジタル撮影システム１０２とネットワークとの間に実施される。実施形態によっては、有線接続される。実施形態によっては、連結１１４はインターネットを含む。
【００２１】
システム１００は、どんな特定の移動型デジタル撮影システム１０２、ネットワーク１０４、画像処理装置１０６、表示装置１０８、通信経路１１０、サーバ１１２、または連結１１４にも限定せず、理解しやすいように簡略化した移動型デジタル撮影システム１０２、ネットワーク１０４、画像処理装置１０６、表示装置１０８、通信経路１１０、サーバ１１２、および連結１１４が説明されている。
【００２２】
図２は、複数のネットワークインターフェースを有する一実施形態による移動型デジタルＸ線撮影システムの側面図である。移動型デジタルＸ線撮影システム２００は、水平アーム２０４の端部に装着されたＸ線源２０２を含む。Ｘ線源２０２は撮影すべき対象または関心領域の上に配置できる。Ｘ線源２０２は通常、水平保持型配置を介して装着され、その中で患者のＸ線撮影を撮るために支柱２０６を回転する必要があり、Ｘ線源が移動型Ｘ線ユニット台２０８上の停止位置から適切な位置に移動される。
【００２３】
移動型デジタルＸ線撮影システム２００は、複数のネットワークアダプタ２１０も含む。複数のネットワークアダプタ２１０の中の２つのネットワークアダプタが図２に示されているが、複数の任意の数のネットワークアダプタが実装できる。ネットワークアダプタ２１０は、外部デジタルＸ線検出器に接続し、システム１００などの移動型デジタルＸ線撮影システム２００からの画像を表示するように操作できる電子システムへのインターフェースとして使用できる。ネットワークアダプタ２１０の少なくとも１つはＥｔｈｅｒｎｅｔ（商標）アダプタなどの従来のネットワークアダプタである。
【００２４】
図２の移動型デジタルＸ線撮影システム２００に比べてネットワークアダプタ２１０の可読性を向上させるために、ネットワークアダプタ２１０のグラフィック描写寸法を拡大する。実際のネットワークアダプタは、移動型デジタルＸ線撮影システム２００に比べてより小さい寸法である。
【００２５】
代替的実施形態では、移動型デジタルＸ線撮影システム２００は、システム１００などの移動型デジタルＸ線撮影システム２００からの画像を表示するように操作可能である電子システムと通信するための１つのネットワークアダプタのみを含む。
【００２６】
ネットワークアダプタ２１０は、移動型デジタルＸ線撮影システムがファイル交換し、資源を共用し、キャリブレーションデータを伝えることを可能にするＥｔｈｅｒｎｅｔ（商標）ネットワークアダプタである。実施形態によっては、Ｅｔｈｅｒｎｅｔ（商標）準拠通信チャネルが、ルータに連結され、それが順にインターネットにつながれ、それが次に、図１のネットワーク１０４などのネットワークに接続され、それが表示装置および処理装置に提供され、移動型デジタルＸ線撮影システム１０２によってデジタル画像を取り込むことができるようにする。実施形態によっては、Ｅｔｈｅｒｎｅｔ（商標）準拠通信チャネルは、図１のネットワーク１０４などのネットワークに直接、有線で接続される。Ｅｔｈｅｒｎｅｔ（商標）に対する代替的なものとして、他の従来のネットワークプロトコル、Ａｐｐｌｅ  Ｃｏｍｐｕｔｅｒ，Ｉｎｃ．によって開発されたＬｏｃａｌＴａｌｋ（商標）、ＩＢＭによって開発されたｔｏｋｅｎ  ｒｉｎｇプロトコル、光ファイバー分布データインターフェース（ＦＤＤＩ）、および非同期転送モード（ＡＴＭ）などを使用できる。さらに、リニアバス型、スター型、ツリー型、有線スターリング型、またはデュアルリング型などの、任意の従来のネットワークトポロジが使用できる。
【００２７】
移動型デジタルＸ線撮影システム２００は、有線のＥｔｈｅｒｎｅｔ（商標）コネクタ用のネットワークアダプタを示している。しかし、ワイヤレス接続（例えば、赤外または高周波）などの有線以外の媒体が、移動型デジタルＸ線撮影システム２００をネットワークに連結または接続するのに実装されてもよい。
【００２８】
次に図３を参照すると、Ｘ線撮影システム３００の概略図が図示されている。上で参照したように、システム３００は、撮影されるべき対象３０２に向かう軸に沿って焦点スポットから照射のファンビームを投影するように設計されているＸ線源２０２を含む。当業者は、患者、ならびに手荷物および小包み等が、例示的なＸ線撮影システム３００を用いて非侵襲的に検査できることを理解するに違いない。フラットパネルデジタル検出器３０４が、対象３０２を透過して対象３０２によって減弱したＸ線を検出する。コリメータアセンブリ（コリメータブレードを含むものとして図示されていないが、）を用いて、照射範囲を制御するようにＸ線ファンビームを平行にすることができる。
【００２９】
ホストまたはスキャナインターフェース３０６が、通信インターフェース３１０、キーボード３１４あるいは他のデータ入力装置、ＣＰＵ３１２、メモリ３１８、および対象の再構成画像を表示するコンピュータモニタのような表示ユニット３１６を含んでいる。バスが、キーボード３１４、ＣＰＵ３１２、メモリ３１８および表示ユニット３１６を通信インターフェース３１０に接続している。ＣＰＵは、マイクロプロセッサ、デジタル信号プロセッサ、マイクロコントローラ、ならびに論理動作および処理動作を実行するように設計されている他の装置を含んでよい。Ｘ線画像に対応する信号はフラットパネル検出器３０４から読出し電子回路３０８を介して読み出される。図示してないがホストインターフェース３０８は、図１に示したように監視および保守のためにインターネットまたは通信リンクを介して中央施設に接続操作できるものとする。
【００３０】
コンピュータまたはＣＰＵ３１２は、コンピュータアクセス可能な媒体ＲＡＭ、ＲＯＭ、および大容量記憶装置上に記憶され、プロセッサによって実行されるオペレーティングシステム（図示してない）も含む。オペレーティングシステムの例には、Ｍｉｃｒｏｓｏｆｔ  Ｗｉｎｄｏｗｓ（商標）、Ａｐｐｌｅ ＭａｃＯＳ（商標）、Ｌｉｎｕｘ（商標）、ＵＮＩＸ（商標）を含む。これらの例は、どんな特定のオペレーティングシステムにも限定されないが、このようなオペレーティングシステムの構築および使用は当技術分野において周知である。
【００３１】
コンピュータ３１２の実施形態は、どんな種類のコンピュータにも限定されない。異なる実施形態では、コンピュータ３１２は、あるＰＣに互換のコンピュータ、ＭａｃＯＳ（商標）互換のコンピュータ、Ｌｉｎｕｘ（商標）互換のコンピュータ、またはＵＮＩＸ（商標）互換のコンピュータを含む。このようなコンピュータの構築および運用も当技術分野で周知である。
【００３２】
コンピュータ３１２は、ユーザの制御可能なポインタを含むグラフィカルユーザインターフェース（ＧＵＩ）を提供する少なくとも１つのオペレーティングシステムを用いて運用されてもよい。コンピュータ３１２は、少なくとも１つのオペレーティングシステム内で実行する少なくとも１つのウェブブラウザのアプリケーションプログラムを有することもでき、コンピュータ３１２の利用者がイントラネット、エキストラネット、またはＵＲＬ（ユニバーサル資源ロケータ）アドレスによってアドレス指定されるインターネットのＷＷＷ（ワールドワイドウェブ）ページへアクセスすることを許可する。ブラウザのアプリケーションプログラムの例には、Ｎｅｔｓｃａｐｅ Ｎａｖｉｇａｔｏr（商標）、Ｍｉｃｒｏｓｏｆｔ  Ｉｎｔｅｒｎｅｔ  Ｅｘｐｌｏｒｅｒ（商標）を含む。
【００３３】
加えて、読出し電子回路は、フラットパネル検出器から、検出器と撮影システムとの間の有線接続を介して信号を読み出すことができる。また、読出しを検出器と撮影システムとの間のワイヤレス通信を介して実現できるものとする。これに関して、撮影システムおよび検出器がデータのワイヤレス伝送をサポートするトランシーバ、アンテナおよび他の動作回路を装備してよいことを当業者は理解されたい。
【００３４】
図４は、本発明に組み込んでいる可搬型フラットパネルＸ線検出器３０４を示す斜視図である。検出器３０４は好ましくは、間接検出式固体デジタル検出器であって、Ｘ線が入射すると光を放出するシンチレータによる発光から、撮影被検体を貫くＸ線減弱量を決定する。検出器３０４は、軽量の耐久性複合材料で形成されたカバー４０６を含む。検出器の可搬性をサポートするために、カバーの中に把手４０４が組み込まれる。図示したように、検出器３０４は据付の有線コード（ｔｅｔｈｅｒ）を用いずに構成されてよい。これに関して、検出器を、使用するときに読出し電子回路に接続される有線コード（図示してない）に接続することがある。使用中でない場合には、検出器は有線コードから容易に取り外しでき、撮影システムから遠ざけて保管されてよい。カバーの上部は、検出器のシンチレータ層の表面寸法を視覚的に画定するテンプレート４０２を含む。テンプレート４０２は、データ取得のための検出器の中の位置確認の際に利用者を視覚的に助けるように設計されている。
【００３５】
本発明は間接検出式デジタル検出器に特に適用可能であるが、本発明は直接検出式デジタル検出器で実施することもできる。直接検出式デジタル検出器は、アモルファスセレン層または類似材料の光導電体層を薄膜トランジスタアレイに連結させて用いる。セレン層でのＸ線相互作用によって電子（または電子孔）が放出され、これらの電子（または電子孔）を用いて直接、信号を形成する。電子の横方向拡散を最小限に抑えて空間分解能を維持するように、セレン層に跨がる電場を生成するために、多くの場合、電極が使用される。セレンに加えて、ヨウ化水銀、テルル化カドミウムおよびヨウ化鉛を用いることもある。
【００３６】
図５は、示したＸ線検出器用の格納ステーション５００である。図示した格納ステーション５００は、複数のＸ線検出器３０４を格納する寸法であるが、次の実施形態では、この格納ステーションは１つのＸ線検出器を保持する。格納ステーション５００は自立型でよく、例えば、脚５０２または壁取り付け、あるいは通常の方法の他の構造（図示していない）を含んでよい。格納ステーション５００には、Ｘ線検出器が使用されていない間、Ｘ線検出器を格納するように設計され、また熱交換器と、格納されているＸ線検出器の温度を調整するための制御とを含む、２つの目的がある。以下で詳細に説明するように、実施形態によっては、格納されているＸ線検出器の温度調整が、放射、伝導、対流、またはそれらの組合せの原則に従って遂行される場合がある。
【００３７】
図６は、可搬型検出器を撮影システムに統合するためのシステム６００のシステム概観図を示す。システム６００は、Ｘ線検出器３０４と、プロセッサ３１２と、Ｘ線検出器の所にメモリユニット６０２と、記憶装置６０４と、ソフトウェア構成要素６０６とを含み、ソフトウェア構成要素６０６は、可搬型検出器が取り付けられると検出のための機能を実行し、キャリブレーションデータを選択し、一意の名前を指定または読み取り、この可搬型検出器を撮影システムに統合するための対象６０８を有する。メモリユニット６０２は、１つまたは複数のキャッシュ、ＲＯＭ、ＰＲＯＭ、ＥＰＲＯＭ、ＥＥＰＲＯＭ、フラッシュ、ＳＲＡＭ、不揮発性メモリ（ＮＶＭ）または他のデバイスを含んでよいが、しかしメモリはこれに限定されない。メモリユニットは、キャリブレーションデータ、キャリブレーションホストにより検出器に指定されている一意の名前、工場で指定されているシリアル番号、または媒体アクセス制御アドレスを保持することができる。各検出器３０４には、それ自体のキャリブレーションデータを含むので、撮影プロセス中に検出器をホットスワップする場合に、停止時間において改善がもたらされる。この検出器３０４の交換が容易になることで、交換プロセスがより迅速になる。検出器３０４を交換する場合、新たなキャリブレーションは必要ない。キャリブレーションを含む全ての設定が、入手を容易にするために、その検出器３０４の中に記憶されている。各検出器のメモリ６０２は、所与の地域のシステムまたは指定のシステム全てに対してキャリブレーションデータを有することになる。個別のキャリブレーションデータに対して検出器のメモリ部分は、以下のように配置されることになる。つまり、
システム１に対するキャリブレーションデータ
システム２に対するキャリブレーションデータ
システム３に対するキャリブレーションデータ
システムＮに対するキャリブレーションデータ
図１〜５では、一実施形態の操作に対してシステムレベルの概観が説明されている。この項では、このような実施形態の特定の方法について、一連のフローチャートを参照して説明する。フローチャートを参照することによる方法の説明によって、当業者は、このようなプログラム、ファームウェア、あるいは適当なコンピュータ上でこの方法を実行するためのインストラクションなどを含む、コンピュータで読取り可能な媒体からインストラクションを実行するハードウェアを開発することができる。同様に、サーバのコンピュータプログラム、ファームウェア、またはハードウェアによって実行される方法もコンピュータで実行可能なインストラクションからなる。７００〜１０００の方法は、図３のコンピュータ３１２などのコンピュータの一部分であるファームウェア、またはハードウェア上で実行されるプログラムによって、あるいはこのファームウェア、またはハードウェアによって実行される。
【００３８】
図７は、一実施形態による新しい検出器を較正する方法７００のフローチャートである。方法７００は、当技術分野におけるに必要性に答えるものであり、撮影システムが提供されて、使用する必要のある任意の検出器のためのキャリブレーション情報を入手できる。
【００３９】
方法７００は、新しい検出器を認識する動作７０２と、キャリブレーションを実行する動作７０４と、新しい検出器のキャリブレーションを記憶する動作７０６とを含む。
【００４０】
動作７０２では、新しい検出器が認識される。この時点で、シリアル番号などの一意の名前が、キャリブレーションホストによって読み込まれる。内部のまたは組織上の名前が好ましい代替的場合では、ホストが新しい検出器に対してそのような名前を指定する。さらに別の代替的場合では、新しい検出器にＭＡＣアドレスが指定される。選択され、または指定された名前にかかわらず、その指定によって新しい検出器を知り、ネットワークを介して新しい検出器を追跡できる。
【００４１】
動作７０４では、新しい検出器が全てのシステムに対して較正される。キャリブレーション手順は管理され、新しい検出器は、ｂａｄ  ｐｉｘｅｌ、ゲイン等などの撮影適用に対して較正される。しかし、検出器は異なるシステムで動作可能なので、この検出器を使用可能な既知の全てのシステムに対して、検出器が較正される。
【００４２】
動作７０６では、キャリブレーション情報を記憶する。ネットワーク環境では、キャリブレーション情報を記憶できる場所は無数にある。例えば、キャリブレーションを可搬型検出器３０４などの検出器中に記憶でき、撮影システムで検出器を使用する度に、撮影動作中に検出器によりキャリブレーションデータを組み込むことができる。代替的に、このキャリブレーションデータは、全ての撮影システムに伝えられる。検出器を撮影システムに連結する場合、連結しなければならないホストの全てが検出器のためのキャリブレーションデータを検出器の内部メモリから選択する。キャリブレーションデータは、それぞれの可搬型検出器の一意の名前をベースとするインデックスであってよい。
【００４３】
図８は、一実施形態による撮影システムに可搬型検出器を統合する方法８００のフローチャートである。方法８００は、検出器３０４が、許容誤差以内で機能しない場合に、検出器３０４を撮影システム１００のホットスワップする手順になる。電池が一定レベル以下である場合、温度が閾値を超える場合、あるいは検出器が許容レベル以内で動作しない場合、検出器３０４は許容誤差から外れることがある。用語ホットスワップ、ホットインサート、またはプラグ・アンド・プレイは、可搬型検出器３０４を撮影プロセスの中で交換または挿入することを指して便宜的に使用され、したがってスワップまたは挿入プロセスが生じた後に、撮影システム１００をすぐに機能させるようにする。方法８００は、当技術分野における必要性に答えるものであり、キャリブレーションデータを共用することにより可搬型検出器の統合を容易にする。
【００４４】
方法８００は、可搬型検出器の選択８０２と、可搬型検出器の識別８０４と、キャリブレーションデータの選択８０６と、撮影プロセスへの可搬型検出器の統合８０８とを含む。
【００４５】
動作８０２では、可搬型検出器が選択される。この可搬型検出器は、撮影システムと情報交換可能であり、格納プロトコル、ワイヤレスプロトコルなどの十分に確定されているプロトコルを使用する任意の検出器である。
【００４６】
動作８０４では、ホストまたは撮影システムは、確定されているプロトコルを使用して検出器を識別する。次いで、システムは、検出器から識別と、キャリブレーションデータを読み取る処理に進む。代替的場合では、ホストは所与の検出器に対して記憶されているキャリブレーションデータを参照することができる。検出器の一意の名前が表のインデックスキーとして使用され、キャリブレーションデータを読み取ることができる。
【００４７】
動作８０６では、可搬型検出器に対してキャリブレーションデータが選択される。キャリブレーションデータはその検出器に固有のものある。
【００４８】
動作８０８では、撮影システムが、キャリブレーションデータを用いて、検出器を撮影システムの撮影プロセスに統合する。
【００４９】
図９は、一実施形態による新しい可搬型検出器を較正する方法９００のフローチャートである。方法９００は、当技術分野におけるに必要性に答えるものであり、撮影システムが提供されて、使用する必要のある任意の検出器のためのキャリブレーション情報を入手できる。
【００５０】
方法９００は、新しい検出器を認識する動作９０２と、キャリブレーションを実行し、全てのシステムに対し情報を伝える動作９０４と、新しい検出器のキャリブレーションを記憶する動作９０６とを含む。
【００５１】
動作９０２では、新しい検出器が認識される。この時点で、シリアル番号などの一意の名前が、キャリブレーションホストによって読み込まれる。内部のまたは組織上の名前が好ましい代替的場合では、ホストが新しい検出器に対してそのような名前を指定する。さらに別の代替的場合では、新しい検出器にＭＡＣアドレスが指定されてよい。選択され、または指定された名前にかかわらず、その指定によって新しい検出器を知り、ネットワークを介して新しい検出器を追跡できる。
【００５２】
動作９０４では、新しい検出器が全てのシステムに対して較正される。キャリブレーション手順は管理され、新しい検出器は、ｂａｄ  ｐｉｘｅｌ、ゲイン等などの撮影適用に対して較正される。検出器は、この検出器を使用できる全ての既知のシステムに対して較正される。この検出器に対するキャリブレーションデータは、全ての撮影システムに伝えられ、この新しい検出器を後で使用するために記憶される。キャリブレーションデータが伝えられることにより、撮影システムが可搬型検出器に対するこれらのキャリブレーションデータをすぐに識別することが可能になる。検出器を撮影システムに連結する場合、連結しなければならないホストの全てが検出器のためのキャリブレーションデータを検出器の内部メモリから選択する。キャリブレーションデータは、それぞれの可搬型検出器の一意の名前をベースとするインデックスであってよい。
【００５３】
動作９０６では、キャリブレーション情報を記憶する。ネットワーク環境では、キャリブレーション情報を記憶できる場所は無数にある。例えば、キャリブレーションを可搬型検出器３０４などの検出器中に記憶でき、撮影システムで検出器を使用する度に、撮影動作中に検出器によりキャリブレーションデータを組み込むことができる。
【００５４】
図１０は、一実施形態による撮影システムに可搬型検出器を統合する方法１０００のフローチャートである。方法１０００は、当技術分野におけるに必要性に答えるものであり、撮影システムが提供されて、使用する必要のある任意の検出器のためのキャリブレーション情報を入手可能である。
【００５５】
方法１０００は、新しい撮影システムの識別１００２と、全ての検出器に対する、このシステムのキャリブレーション１００４と、このキャリブレーションデータの記憶とを含む。
【００５６】
動作１００２では、新しい撮影システムが識別される。前で指摘したように、撮影システムはデジタルＲＡＤ照射を採用するＲＡＤおよびＲＦシステムであってよい。
【００５７】
動作１００４では、撮影システムが、全ての利用できる検出器に対して較正される。キャリブレーション手順は管理されており、新しい撮影がｂａｄ  ｐｉｘｅｌ、ゲイン等などの撮影適用に対して較正される。システムは、そのシステムで使用することができる全ての既知の検出器に対して較正される。
【００５８】
動作１００６では、キャリブレーションデータがそのシステム中に記憶されるか、または、そのデータを必要とすることがあるネットワークに接続されている他のデバイスに対して提供されるかのいずれかである。
【００５９】
実施形態によっては、方法７００〜１０００は、搬送波中に組み込まれているコンピュータデータ信号として実施され、このコンピュータデータ信号は、一連のインストラクションを表し、これが図６のプロセッサ３１２などのプロセッサによって実行される場合、プロセッサにそれぞれの方法の実行を引き起こす。他の実施形態では、方法２００〜１０００が、コンピュータでアクセス可能な媒体として実施され、この媒体が、図６のプロセッサ３１２などのプロセッサに、それぞれの方法の実行を指示できる、実行可能なインストラクションを有する。別の実施形態では、媒体は、磁気媒体、電子媒体、または光媒体である。
【００６０】
図１１は、撮影システムの行（Ｓ１・・・Ｓ５）と、検出器の列（ＤＥＣＴ１・・・ＤＥＣＴ７）を示す表１１００の略図である。例えば、キャリブレーションデータ３（ＣＡＬＤＳ１）は、検出器Ｎと、撮影システム１（Ｓ１）に対するキャリブレーションデータに対応する。それぞれの検出器は、その検出器が使用される可能性がある全てのシステムに対しキャリブレーションデータを有することになる。マスタテーブルを、後の検索のためにサーバ１１２（図１）に記憶することができる。
【００６１】
図１２は、所与の検出器１２０４、１２０６、１２０８の分類に対してキャリブレーションデータを並べるデータ構成１２００の概略図である。キャリブレーションは、検出器１２０２によって並べられ、さらに検出器１２０２を、異なる種類の検出器（１２０４・・・１２０８）にクラス分けすることができる。キャリブレーションデータは、さらに、システムに独立なキャリブレーションデータ１２１０と、システムに依存するキャリブレーションデータ１２１２に並べられる。この区別をする理由は、システムに独立なキャリブレーションは、一度、運用でき、記憶されるが、ただシステムに依存するキャリブレーションだけが、運用の度に必要になるからである。
【００６２】
結論
特定の実施形態を、本明細書で図示し、説明したが、同じ目的を実現するために計算される任意の構成が、示した特定の実施形態に置き換え得ることを当業者には理解されたい。本出願は任意の適用または変更を保証するものでない。例えば、手続き上の用語で説明するが、オブジェクト指向の設計環境でも、必要な関係を提供する任意の他の設計環境でも実施することが可能であることを当業者には理解されたい。
【００６３】
特に、方法および装置の名称は実施形態を限定するものでないことを当業者は容易に理解する。その上に、付加的な方法および装置を構成要素に加えることができ、構成要素間の機能を再構成でき、将来の改良に応じて新しい構成要素および実施形態に使用されるデバイスを実施形態の範囲を逸脱せずに導入できる。実施形態を将来の通信デバイス、異なるファイルシステム、および新しいデータの種類に対して適用できることを当業者は容易に理解する。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００６４】
【図１】本発明による、ネットワークに接続した移動型医療用デジタルＸ線撮影システムの概略図である。
【図２】複数のネットワークインターフェースを有する本発明による移動型デジタルＸ線撮影システムの側面図である。
【図３】例示的Ｘ線撮影システムの概略ブロック図である。
【図４】本発明に組み込んでいる可搬型固体フラットパネルデジタルＸ線検出器の斜視図である。
【図５】本発明によるＸ線検出器格納ステーションの斜視図である。
【図６】異なる実施形態で実行できるハードウェアおよび動作環境のブロック図である。
【図７】一実施形態による新しい検出器を較正する方法のフローチャートである。
【図８】一実施形態による撮影システムに可搬型検出器を統合する方法のフローチャートである。
【図９】一実施形態による、全ての撮影システムにおいて共通のキャリブレーションデータを新しい検出器に対し伝える方法のフローチャートである。
【図１０】一実施形態による新しい撮影システムを較正する方法のフローチャートである。
【図１１】一実施形態による撮影システム、可搬型検出器、およびキャリブレーションデータの関係を示す表である。
【図１２】実施する際に用いたデータ構造を示す概略図である。
【符号の説明】
【００６５】
１０２  撮影システム
２０２  Ｘ線源
３０２  対象
３０４  可搬型検出器
３０６  ホストまたはスキャナインターフェース
３０８  読出し電子回路
３１０  通信インターフェース
３１２  コンピュータ
３１４  キーボード
３１６  表示ユニット
３１８  メモリ
【図２】
0005580969.tif 000002
【図３】
0005580969.tif 000003
【図４】
0005580969.tif 000004
【図５】
0005580969.tif 000005
【図６】
0005580969.tif 000006
【図７】
0005580969.tif 000007
【図８】
0005580969.tif 000008
【図９】
0005580969.tif 000009
【図１０】
0005580969.tif 000010
【図１１】
0005580969.tif 000011
【図１２】
0005580969.tif 000012
【図１】
0005580969.tif 000013